(57)【要約】【課題】　カードの使用者が正当な使用者であるかどうかの確認を確実に行なうとともに、取引の度に暗証番号の入力をする面倒をなくす。また暗証番号を入力する際、暗証番号を人に知られる危険を減らす。【解決手段】　カード（５）の使用者が正当な使用者であることの確認を要する取引を取引端末（２、３）で行うに当たり、一旦暗証番号が入力されて取引が行われ（Ｓ１９）、カードが抜き取られると（Ｓ２７）、その後所定の免除時間内は（Ｓ１５）同じ暗証番号の入力を要することなく取引を許容する（Ｓ２３）。また、同じ取引端末に限らず、複数の取引端末の何れかにおいて一旦暗証番号が入力されて取引が行われると、その後所定の免除時間内は、他の取引端末においても、同じ暗証番号の入力を要することなく取引を行うことを許容する。【選択図】　　　　図１
2004110799.tif 000002
【特許請求の範囲】
【請求項１】
　利用者カードの番号と利用者カードの暗証番号を記憶する中央管理装置と、
　店内に配置され、上記中央管理装置に接続され、利用者カードの挿入口を有し、該挿入口に挿入された利用者カードの使用者が正当な使用者であることの確認を要する取引を行なうための複数の取引端末とを備え、
　上記取引端末が、
　店の入り口付近又は通路に設置され、暗証番号のキー入力の際どのキーを押しているのか周囲の人に見られにくい共用取引端末と、
　店内に設けられた複数の専用取引端末と
　を含む取引処理装置を用いて行なわれる取引処理方法において、
　上記共用取引端末で、上記確認のために暗証番号が入力されて取引が行なわれると、その後所定の免除時間内は同じ暗証番号の入力を要することなく同一又は異なる取引端末で取引を行なうことを許容することを特徴とする取引処理方法。
【請求項２】
　利用者カードの番号と利用者カードの暗証番号を記憶する中央管理装置と、
　店内に配置され、上記中央管理装置に接続され、利用者カードの挿入口を有し、該挿入口に挿入された利用者カードの使用者が正当な使用者であることの確認を要する取引を行なうための複数の取引端末とを備え、
　上記取引端末が、
　店の入り口付近又は通路に設置され、暗証番号のキー入力の際どのキーを押しているのか周囲の人に見られにくい共用取引端末と、
　店内に設けられた複数の専用取引端末とを含む取引処理装置を用いて行なわれる取引処理方法において、
　何れかの取引端末で、上記確認のために暗証番号が入力されて取引が行なわれ、カードが当該取引端末から抜取られてから所定の免除時間内は、同一又は異なる取引端末において、同じ暗証番号の入力を要することなく取引を行なうことを許容する
　ことを特徴とする取引処理方法。
【請求項３】
　利用者カードの番号と利用者カードの暗証番号を記憶する中央管理装置と、
　店内に配置され、上記中央管理装置に接続され、利用者カードの挿入口を有し、該挿入口に挿入された利用者カードの使用者が正当な使用者であることの確認を要する取引を行なうための複数の取引端末とを備え、
　上記取引端末が、
　店の入り口付近又は通路に設置され、暗証番号のキー入力の際どのキーを押しているのか周囲の人に見られにくい共用取引端末と、
　店内に設けられた複数の専用取引端末と
　を含む取引処理装置において、
　上記共用取引端末で、上記確認のために暗証番号が入力されて取引が行なわれると、その後所定の免除時間内は同じ暗証番号の入力を要することなく同一又は異なる取引端末で取引を行なうことを許容する手段を有することを特徴とする取引処理装置。
【請求項４】
　利用者カードの番号と利用者カードの暗証番号を記憶する中央管理装置と、
　店内に配置され、上記中央管理装置に接続され、利用者カードの挿入口を有し、該挿入口に挿入された利用者カードの使用者が正当な使用者であることの確認を要する取引を行なうための複数の取引端末とを備え、
　上記取引端末が、
　店の入り口付近又は通路に設置され、暗証番号のキー入力の際どのキーを押しているのか周囲の人に見られにくい共用取引端末と、
　店内に設けられた複数の専用取引端末とを含む取引処理装置において、
　利用者がいずれかの取引端末で取引を行なおうとすると、所定の免除時間内であるかどうかの判断を行なう判断手段と、
　上記判断手段により、上記免除時間内ではないと判断されると、暗証番号を入力させ、入力された暗証番号が正しいことを確認するための確認手段と、
　上記確認手段により、入力された暗証番号が正しいことが確認されたとき、又は上記判断手段により、上記免除時間内であると判断されたときに、取引を許容する手段とを備え、
　上記判断手段は、上記のように取引が行なわれてカードが抜取られた時を上記免除時間の開始時点とする
　ことを特徴とする取引処理装置。
【発明の詳細な説明】
【技術分野】
【０００１】
　この発明は、取引カードを用いて行われる取引処理方法及び取引処理装置に関する。
【背景技術】
【０００２】
　取引カードを用いて行なわれる取引において、取引の際、カードの使用者がカードの正当な使用者である（使用権限を有する者である）ことを確認する必要があることがある。その確認の方法として、取引に先立ち、暗証番号を入力させ、入力された暗証番号がカードの暗証番号と一致するかどうかの判断を行うのが一般的である。
【発明の開示】
【発明が解決しようとする課題】
【０００３】
　しかし、そのような取引の度に暗証番号を入力するのは使用者にとって煩わしい。また、付近にいる他人が暗証番号の入力を見ることが容易であるような構造の端末の場合には、暗証番号を見られてしまう可能性がある。
【０００４】
　本発明は上記に鑑みてなされたものであり、その目的は、カードの使用者が正当な使用者であるかどうかの確認を確実に行なうとともに、取引の度に暗証番号の入力をする面倒をなくすことにある。
【０００５】
　本発明の他の目的は、暗証番号が他人に見られる危険を少なくすることにある。
【課題を解決するための手段】
【０００６】
　本発明は、
　利用者カードの番号と利用者カードの暗証番号を記憶する中央管理装置と、
　店内に配置され、上記中央管理装置に接続され、利用者カードの挿入口を有し、該挿入口に挿入された利用者カードの使用者が正当な使用者であることの確認を要する取引を行なうための複数の取引端末とを備え、
　上記取引端末が、
　店の入り口付近又は通路に設置され、暗証番号のキー入力の際どのキーを押しているのか周囲の人に見られにくい共用取引端末と、
　店内に設けられた複数の専用取引端末と
　を含む取引処理装置を用いて行なわれる取引処理方法において、
　上記共用取引端末で、上記確認のために暗証番号が入力されて取引が行なわれると、その後所定の免除時間内は同じ暗証番号の入力を要することなく同一又は異なる取引端末で取引を行なうことを許容することを特徴とする取引処理方法を提供するものである。
　本発明はまた、
　利用者カードの番号と利用者カードの暗証番号を記憶する中央管理装置と、
　店内に配置され、上記中央管理装置に接続され、利用者カードの挿入口を有し、該挿入口に挿入された利用者カードの使用者が正当な使用者であることの確認を要する取引を行なうための複数の取引端末とを備え、
　上記取引端末が、
　店の入り口付近又は通路に設置され、暗証番号のキー入力の際どのキーを押しているのか周囲の人に見られにくい共用取引端末と、
　店内に設けられた複数の専用取引端末とを含む取引処理装置を用いて行なわれる取引処理方法において、
　何れかの取引端末で、上記確認のために暗証番号が入力されて取引が行なわれ、カードが当該取引端末から抜取られてから所定の免除時間内は、同一又は異なる取引端末において、同じ暗証番号の入力を要することなく取引を行なうことを許容する
　ことを特徴とする取引処理方法を提供するものである。
【０００７】
　本発明はまた、
　利用者カードの番号と利用者カードの暗証番号を記憶する中央管理装置と、
　店内に配置され、上記中央管理装置に接続され、利用者カードの挿入口を有し、該挿入口に挿入された利用者カードの使用者が正当な使用者であることの確認を要する取引を行なうための複数の取引端末とを備え、
　上記取引端末が、
　店の入り口付近又は通路に設置され、暗証番号のキー入力の際どのキーを押しているのか周囲の人に見られにくい共用取引端末と、
　店内に設けられた複数の専用取引端末と
　を含む取引処理装置において、
　上記共用取引端末で、上記確認のために暗証番号が入力されて取引が行なわれると、その後所定の免除時間内は同じ暗証番号の入力を要することなく同一又は異なる取引端末で取引を行なうことを許容する手段を有することを特徴とする取引処理装置を提供するものである。
　本発明はまた、
　利用者カードの番号と利用者カードの暗証番号を記憶する中央管理装置と、
　店内に配置され、上記中央管理装置に接続され、利用者カードの挿入口を有し、該挿入口に挿入された利用者カードの使用者が正当な使用者であることの確認を要する取引を行なうための複数の取引端末とを備え、
　上記取引端末が、
　店の入り口付近又は通路に設置され、暗証番号のキー入力の際どのキーを押しているのか周囲の人に見られにくい共用取引端末と、
　店内に設けられた複数の専用取引端末とを含む取引処理装置において、
　利用者がいずれかの取引端末で取引を行なおうとすると、所定の免除時間内であるかどうかの判断を行なう判断手段と、
　上記判断手段により、上記免除時間内ではないと判断されると、暗証番号を入力させ、入力された暗証番号が正しいことを確認するための確認手段と、
　上記確認手段により、入力された暗証番号が正しいことが確認されたとき、又は上記判断手段により、上記免除時間内であると判断されたときに、取引を許容する手段とを備え、
　上記判断手段は、上記のように取引が行なわれてカードが抜取られた時を上記免除時間の開始時点とする
　ことを特徴とする取引処理装置を提供するものである。
【０００８】
　本発明はさらに、カードの使用者が正当な使用者であることの確認を要する取引を取引端末で行うに当たり、一旦暗証番号が入力されて取引が行なわれると、その後所定の免除時間内は同じ暗証番号の入力を要することなく取引を許容することを特徴とする取引処理方法を提供するものである。
【０００９】
　上記所定の群に属する取引端末において一旦暗証番号が入力されて取引が行われると、その後所定の免除時間内は、上記所定の群に属する同一又は他の取引端末においては、同じ暗証番号の入力を要することなく取引を行うことを許容することとしても良い。
【００１０】
　上記取引が、カードの使用者が正当な使用者であることの確認自体を目的とする認証処理であっても良い。
【００１１】
　上記暗証番号の入力を要することなく取引を行なったとき、その時から所定の時間内においても他の取引を行なうにあたり暗証番号の入力を不要とすることとしても良い。
【００１２】
　上記所定の群が同一の店内に配置された取引端末により構成されているものであっても良い。
【００１３】
　上記取引又は確認が行なわれカードが取引端末から抜取られてから所定の免除時間内は、同じ暗証番号の入力を要することなく取引を行なうことを許容することとしても良い。
【００１４】
　上記取引又は確認に際しての、暗証番号の入力から所定の免除時間内は、同じ暗証番号の入力を要することなく取引を行なうことを許容することとしても良い。
【００１５】
　上記暗証番号の入力を要することなく取引が行なわれカードが取引端末から抜取られてから所定の免除時間内は、同じ暗証番号の入力を要することなく取引を行なうことを許容することとしても良い。
【００１６】
　本発明はさらにまた、カードの使用者が正当な使用者であることの確認を要する取引を行う取引処理装置において、カード挿入口と、上記カードが挿入されたとき、暗証番号の入力を要求する手段と、暗証番号が入力されたとき正しい番号であるかどうかの確認を行なう手段と、暗証番号が正しいことが確認された上で取引が行われると、その時から計時を行なう手段と、その後取引の要求があったときに、上記計時手段における計時の結果を参照して、所定の免除時間が経過していないかどうかの判定をする手段と、所定の免除時間内であれば、上記暗証番号の入力を要求することなく取引の実行を許容する手段とを備えた取引処理装置を提供するものである。
【００１７】
　上記取引処理装置が、中央管理装置と、該中央管理装置に接続された複数の取引端末とを備え、上記計時手段が上記中央管理装置内に設けられ、上記中央管理装置に接続された取引端末の何れかにおいて一旦暗証番号が入力されて取引が行われると、その後所定免除時間内は、上記所定の群に属する同一又は他の取引端末においては、同じ暗証番号の入力を要することなく取引を許容するものであっても良い。
【００１８】
　上記取引が、カードの使用者が正当な使用者であることの確認自体を目的とする認証処理であっても良い。
【００１９】
　上記暗証番号の入力を要することなく取引を行なったとき、上記計時手段に計時を再スタートさせる手段を有し、この再スタートにより、その時から所定の免除時間内においても他の取引を行なうにあたり暗証番号の入力を不要とすることとしても良い。
【００２０】
　上記計時を行なう手段が、取引又は確認が行なわれカードが取引端末から抜取られてから計時を行なうものであっても良い。
【００２１】
　上記計時を行なう手段が、上記取引又は確認に際しての、暗証番号の入力から計時を行なうものであっても良い。
【００２２】
　上記計時を再スタートさせる手段が、上記暗証番号の入力を要することなく取引が行なわれカードが取引端末から抜取られてから計時を再スタートさせるものであっても良い。
【００２３】
　上記複数の取引端末が同一の店内に配置されているものであっても良い。
　暗証番号の確認を行なう手段が中央管理装置に設けられていても良い。
【００２４】
　上記計時を行なう手段が中央管理装置に設けられ、さらに、上記所定の免除時間を設定、変更を行なうための手段を備えていても良い。
【発明の効果】
【００２５】
　本発明は上記のように構成されているので、取引の度に暗証番号を入力することが不要となり、また暗証番号の入力中に暗証番号を人に見られるおそれが小さくなる。
【発明を実施するための最良の形態】
【００２６】
　以下、本発明をパチンコ店における取引端末、即ち共用取引端末及び専用取引端末において使用する利用者カードに適用した場合について説明する。
【００２７】
　図１はパチンコ店における、利用者カードによる取引に関与する機器を示したものである。同図において、１は中央管理装置、２は共用取引端末、３は専用取引端末、４はパチンコゲーム機である。共用取引端末２及び専用取引端末３を総称して単に取引端末と言うことがある。
【００２８】
　中央管理装置１は、パチンコ店全体の管理や、暗証番号の照合を行なう。
【００２９】
　共用取引端末２は、例えばパチンコ店の入口付近や通路に設置されるものであり、現金の両替をしたり、現金を投入して利用者カードの預り金や貯玉数を増加させたり、カードの正当な使用者であることの確認処理（認証）を行なったりするために用いられる。共用取引端末２は、そこで利用者カードの暗証番号の入力に際し、どのキーを押しているかが、付近にいる他人には見られないような構造となっている。共用取引端末は、元々両替を主たる目的として設けられていたものの機能が増加したものであるので、今なお両替機と呼ばれることもある。
【００３０】
　専用取引端末３はそれぞれパチンコゲーム機４に対応して、例えば対応するパチンコゲーム機４の左側に隣接して設けられている。パチンコゲーム機４は通常列をなすように配置され、専用取引端末３は（パチンコゲーム機４の列の左端に位置するパチンコゲーム機４に対応するものを除き）隣合うパチンコゲーム機４相互間に配置され、また元々玉貸しを主目的として設置されるようになったものであるので、台間玉貸機とも呼ばれる。専用取引端末３は、現金や利用者カードによる玉貸しを行なう。専用取引端末３は隣合うパチンコゲーム機４相互間の狭いスペースに配設されたものであり、そこで利用者カードを使用する場合には、どのキーを押しているかが付近にいる人に見られやすい構造となっている。また、図示の例の専用取引端末３は、付加的機能として、飲み物などを注文することができるようになっている。この場合、注文した飲み物に対する支払は現金により行なってもよく、利用者カードの預り金或いは貯玉により行なっても良い。
【００３１】
　共用取引端末２及び専用取引端末３は、すべて中央管理装置１に接続されており、中央管理装置１との間でデータの授受を行なっている。
【００３２】
　利用者カード５は、玉貸しの際に一々現金を用いる面倒をなくすこと、貯玉を可能にすることなどのためのものである。その一つは会員カードと呼ばれるものであり、各パチンコ店に会員登録した者に与えられる。会員カードを用いると、例えば共用取引端末２や専用取引端末３において現金を投入することにより会員カードの預り金を増額することができ、また専用取引端末３において、会員カード内の預り金を代金として玉貸しを受けることもできる。また、遊技により獲得した玉の一部または全部をデータの形で会員カード内に預ける（貯玉する）ことができる。預けた玉は後で（同じ日又は異なる日）引出して遊技に用いることもでき、また景品に交換することもできる。
【００３３】
　専用取引端末３を用いると、パチンコゲーム機４において遊技をしながら席を外すことなく、玉貸しを受けることができる。また、現金やカードの預り金又は貯玉を代金として、飲み物、食べ物、タバコ等の注文をすることができる。
【００３４】
　カードを用いて現金を投入して預り金を増額したり、玉貸しを受けたり、飲み物等の注文をすることを取引と呼ぶ。この取引をする際、取引に種類によっては、カードの使用者が正当な使用者である（カードを不法、不当に入手したものではなく）ことを確認するため暗証番号を入力させて照合する。
【００３５】
　暗証番号の照合は中央管理装置１において行なう。このため、中央管理装置は、各カードの暗証番号を記憶している。取引端末２、３では暗証番号の入力があると、これを中央管理装置１に送り、中央管理装置１は暗証番号の照合の結果を取引端末２、３に知らせる。
【００３６】
　中央管理装置１はまた、全てのカードの預り金、貯玉データの転送を受け、記憶する。これらのデータはカードの不正使用の防止や、店の運営の参考に供される。
【００３７】
　本実施の形態の特徴は、一旦いずれかの取引端末で暗証番号が入力され、取引が行なわれたり、或いはいずれかの共用取引端末２で暗証番号が正しいことを確認する処理（認証処理）が行なわれると、それ以後所定の免除時間内は同一の取引端末及び同じ店内の他の取引端末において取引をする際、暗証番号の入力を不要とする、即ち、暗証番号を入力しなくても取引が行なえるようにした点である。また、そのようにして、暗証番号の入力を伴わない取引が行なわれた後、所定の免除時間内は同一の取引端末及び同じ店内の他の取引端末においてもやはり暗証番号の入力を不要とする。即ち、一旦いずれかの取引端末において取引が行なわれると、それから一定の免除時間内は、同一または他の取引端末において暗証番号に入力を不要とする。
【００３８】
　厳密には、本実施の形態においては、いずれかの取引端末において取引を行なった後、カードを引抜いてから一定の免除時間内は同一または他の取引端末における取引の際暗証番号の入力を不要とする。所定の免除時間は例えば数分ないし数時間とする。が、この所定の免除時間は、中央管理装置１において設定され、変更可能となっている。
【００３９】
　このように免除時間を設けるのは、一旦カードの使用者が正当な使用者であることが確認されたのち、短時間の間にカードが他の人の手に不法、不当に渡ってしまうことは稀であり、カードに蓄えられる預り金の額や、玉数の価値からすると、リスクよりも利便性の方を重視した方が良いと考えられるからである。
【００４０】
　図２は、本実施の形態で用いられる中央管理装置１の構成の概略を示す。図示のように、中央管理装置１は、制御部１ａと、記憶部１ｂ、キー入力部１ｃとを有する。
【００４１】
　記憶部１ｂには、各カードに対応して、カード情報領域Ｃ１，Ｃ２，．．．Ｃｉ，．．．Ｃｎが設けてある。各カード情報領域Ｃｉは、カード番号領域１０１、暗証番号領域１０２、計時領域（タイマ）１０３を有する。カード情報領域Ｃｉにはさらに、預り金データを記憶する領域１０４、貯玉データを記憶する領域１０５も含まれる。カード情報領域Ｃｉにはさらに他の領域も含まれるが、これらは図示してない。
【００４２】
　記憶部１ｂはさらに、免除時間領域Ｔｓを有する。これは上記「所定の免除時間」を記憶するもので、計時領域１０３における計時はこの免除時間を初期値として行なわれ、時間の経過とともにカウントダウンし、ゼロになると所定の免除時間が経過したものと判断される。
【００４３】
　記憶部１ｂにはさらに、カード番号と、カード情報領域のアドレスとの対応関係を示す変換テーブルＣｔが設けられ、制御部１ａはこの変換テーブルを参照することにより、カード番号を元にして対応するカード情報領域Ｃｉにアクセスする。
【００４４】
　なお、カード情報領域内のカード番号領域１０１は、確認のために設けてあるものであり、省略しても良い。
【００４５】
　図３及び図４は、本実施の形態で用いられる共用取引端末２の構成の概略を示すブロック図及び外観図である。図３に示すように、共用取引端末２は、制御部２ａと、表示部２ｂと、キー入力部２ｃとを有する。表示部２ｂは、操作の案内（プロンプト）等を表示する。表示部２ｂに表示される案内に従ってキー入力部２ｃを操作することにより、取引種類の選択、暗証番号の入力、取引の詳細の入力などができるようになっている。図４に示すように、キー入力部２ｃは、表示部２ｂに隣接したキー入力部２ｃ１と両替金額を指定するためのキー入力部２ｃ２とに分けて配置されている。キー入力部２ｃ１は暗証番号の入力に用いられるキーを含む。表示部２ｂとキー入力部２ｃ１とは共用取引端末２の表面から引込んだ凹みに形成されており、キー入力部２ｃ１を操作して暗証番号を入力すると、周囲にいる他人からどのキーを入力しているのかを見られにくいようになっている。
【００４６】
　共用取引端末２にはさらに、カード挿入口２ｄと、カード挿入口２ｄ内のカードを取り出したいときに操作される取り出しボタン２ｅと、硬貨投入口２ｆと、紙幣投入口２ｇと、金銭払い出し口２ｈとが設けられている。
【００４７】
　先にも述べたように、共用取引端末２でできる取引には、
(イ)　カードの預り金の増額、
(ロ)　認証処理（カードの使用者が正当な使用者であることを確認する処理）
がある。
【００４８】
　図５及び図６は、本実施の形態で用いられる専用取引端末３の構成の概略を示すブロック図及び外観図である。図５に示すように、専用取引端末３は、制御部３ａと、表示部３ｂと、キー入力部３ｃとを有する。表示部３ｂは、操作の案内等を表示する。表示部３ｂに表示される案内に従ってキー入力部３ｃを操作することにより、取引種類の選択、暗証番号の入力、取引の詳細の入力などができるようになっている。図６に示すように、専用取引端末３には、表示部３ｂとキー入力部３ｃのほか、カード挿入口３ｄと、カード挿入口３ｄ内のカードを取り出したいときに操作される取り出しボタン３ｅと、硬貨投入口３ｆと、硬貨返却口３ｊと、玉排出口３ｋが設けられている。
【００４９】
　専用取引端末３においてできる取引には、
(ハ)　硬貨を投入して預り金の増額又は貯玉の増加を行なうこと
(ニ)　預り金又は貯玉を使って玉貸しを受けること
(ホ)　現金或いは預り金又は或いは貯玉を使って飲み物等の注文をすることがある。
【００５０】
　図７は、動作の各段階における、取引端末２、３の表示内容を示す。図８及び図９は上記の取引端末２、３と中央管理装置１とによる取引の手順を示す。共用取引端末２と専用取引端末３とでは表示の内容の詳細、動作の手順の詳細に差異があるが、概念的には同じである。以下、上記の取引端末２、３と中央管理装置１とを用いた取引の手順を説明する。
【００５１】
　取引端末２、３は初期状態においては取引種類選択の案内（図７（Ａ））の表示をしている（Ｓ０１）。
【００５２】
　これに応じて、利用者がキー入力部を操作することにより、取引種類の選択を行なうと（Ｓ０３）、次にその選択された取引がカードの挿入を必要とするかどうかが判断される（Ｓ０５）。
【００５３】
　カードの挿入を必要としない処理についての説明は省略する。カードの挿入を必要とする場合、カードがすでに挿入されているかどうかの判断をし（Ｓ０７）、挿入されていなければ、カード挿入の案内（図７（Ｂ））を表示する（Ｓ０９）。これに応じてカードが挿入されると（Ｓ０７）、次にカードの使用者が正当な使用者であることの確認を必要とする処理であるかどうかの判断をする（Ｓ１１）。カードの使用者が正当な使用者であることの確認が不要な場合の処理については説明を省略する。カードの使用者が正当な使用者であることの確認が必要な場合には、次に取引端末でカードの番号を読取って、中央管理装置１に知らせる（Ｓ１３）。中央管理装置１では、カード番号を受取ると、そのカードが免除時間内であるかどうか（即ち前回の取引から所定の免除時間内であるかどうか、より詳しくは、該カードが同じ店の中で同一または異なる取引端末において使用されてから免除時間内であるかどうか）の判断をする（Ｓ１５）。これを行なうため、先にも述べたように、中央管理装置１では各カードに対応したカード情報領域Ｃｉ内に、前回使用時からの時間を計時する領域１０３が設けられ、そこに記憶された計時データが時間とともにカウントダウンされる構成となっており、中央管理装置１はカード番号を受取ると、そのカード番号に対応するカード情報領域Ｃｉの計時領域１０３を参照する。
【００５４】
　中央管理装置１は判断の結果を専用取引端末３に知らせる。
【００５５】
　免除時間内ではないとの判断結果が知らされると、取引端末では、暗証番号の入力を案内する表示（図７（Ｃ））を行なう（Ｓ１７）。
【００５６】
　これに応じて、使用者が暗証番号の入力を行なうと（Ｓ１９）、暗証番号が正しいかどうかの判断が行なわれる（Ｓ２１）。これは具体的には、入力された暗証番号が、カード番号とともに取引端末２、３から中央管理装置１に送られ、そこでカード番号に対応するカード情報領域Ｃｉ内の暗証番号領域１０２に記憶されている暗証番号と一致するかどうかの判断が行なわれる。一致すれば、即ち入力された暗証番号が正しければ、以下従来と同様に取引の詳細を入力し、取引が実行される（Ｓ２３）。例えば、玉貸しを希望する玉の数の入力を促し（図７（Ｄ））、入力に応じて玉貸しを行ない、それに応じてカード内の情報（貯玉数又は預り金データ）を書換えるとともに、中央管理装置１内の対応するカードのカード情報領域内のデータも書換える。取引が終わると、計時領域（タイマ）をリセットする（Ｓ２５）。即ち、初期値に固定する。そして、後でカードが取り出されるまで初期値に固定したままとする。カードが取り出されると（Ｓ２７）、タイマーを再スタートする（Ｓ２９）。即ち初期値からのカウントダウンを再開する。そして動作を終了する。
【００５７】
　入力された暗証番号が正しくなければ（Ｓ２１）、暗証番号の再入力を促す（Ｓ３５）。但し、その前に、不正な暗証番号の入力を計数し即ちカウントアップし（Ｓ３１）、許容不正回数（例えば３回）以上となっていないかどうかの判断をし（Ｓ３３）、許容不正回数になっていれば警報表示をしたり、取引を中止したりして（Ｓ３７）、動作を終了する。
【００５８】
　ステップＳ１５で免除時間内であるとの判断がされたときは直ちにステップＳ２３に進む。即ち、暗証番号の入力の案内をせず、取引の詳細を入力させ、取引を実行する。
【００５９】
　共用取引端末２における取引の一つに、先にも述べたように「認証処理」がある。これはカードの使用者が正当な使用者であることを証明すること自体を目的とする処理であり、例えば入店後最初に（パチンコゲーム機の前に座る前に）この処理を行なう。認証処理を行なうと、以後免除時間内は暗証番号の入力が免除となる。また、専用取引端末に差込んでおけば、暗証番号の入力が不要である。さらに、一台の専用取引端末からカードを引抜いて、免除時間内に他の専用取引端末でカードを使用するようにすれば、暗証番号の入力が不要となる。
【００６０】
　認証処理を行なうには、まず、取引種類の選択において「認証処理」を選択する。認証処理は、認証のみを目的とする。従って、図９におけるステップＳ２３の実質的内容が何もなく、ステップＳ２１の「Ｙ」またはステップＳ１５の「Ｙ」の後、直ちにステップＳ２５を実施するのと等価である。
【００６１】
　共用取引端末２による認証処理を利用すれば、暗証番号の入力する際、どのキーを押しているかを人に見られる可能性が低い。また、専用取引端末３では暗証番号の入力が必要なくなるので、暗証番号が人に見られるおそれがなく、また暗証番号の入力を省略し得るので装置の利便性が向上する。
【００６２】
　上記の実施の形態では、中央管理装置１において暗証番号の照合を行なっているが、取引端末において暗証番号の照合を行なうようにしても良い。この場合、中央管理装置１から取引端末に対し、暗証番号を示すデータを送る必要がある。
【００６３】
　上記の実施の形態では、カードを使用した取引を行いカードを引抜いてからの時間を計測し、所定の免除時間以内であれば暗証番号の入力を不要としたが、代りに、
(a)　カードを使用した取引のためのキー入力部の操作並びにカード内及び中央管理装置１内のデータの書換が終了（カードの引抜きより前）してから所定の免除時間以内、或いは
(b)　暗証番号を入力してから所定の免除時間以内、或いは
(c)　暗証番号を入力した取引のためのキー入力部の操作並びにカード内及び中央管理装置１内のデータの書換が終了してから所定の免除時間以内、或いは
(d)　暗証番号を入力した取引のためのキー入力部の操作並びにカード内及び中央管理装置１内のデータの書換が終了し、カードを引抜いてから所定の免除時間以内
である場合に限り、暗証番号の入力を不要としても良い。
【００６４】
　特に(b)-(d)の場合は、セキュリティを強化する上で有効である。例えば、正当な使用者が暗証番号を入力した取引を行ったのち、短時間（上記所定の免除時間）内にカードが不当に他人の手に渡った場合にも、暗証番号の入力を伴わない取引が所定の免除時間内に限られるので、被害を小さくすることができる。
【００６５】
　また、上記の実施の形態では、カードがパチンコ店で用いられるものであるが、パチンコ店以外の遊技場で同様のカードが用いられる場合にも本発明が適用できる。さらに、本発明は、遊技場以外の場所で現金と同様にして（正当使用者であるとの確認をしながら）用いられるカードにも同様の適用できる。さらにまた、銀行等で用いられるキャッシュカードにも同様に適用できる。
【００６６】
　また、暗証番号の入力を省略して行なう場合の取引額（玉数、金額）に上限を設けるようにしても良い。これにより、カードの不正使用に対するセキュリティを向上させることができる。
【００６７】
　上記の実施の形態では、ある店内のいずれかの取引端末において取引が行われた後所定の免除時間内に、同じ店の何れかの取引端末において取引が行われた場合に暗証番号の入力を不要とした。このようにする代りに、同一の取引端末において所定の免除時間内に取引が行われた場合に限り、暗証番号の入力を不要とても良く、また店内のある箇所またはある群に属する取引端末に限ってもよく、逆に店内に限らず、複数の店を含む一定の地域内に広げても良い。
【００６８】
　また、上記の実施の形態では、免除時間が全ての取引端末において同一であるが、どの取引端末で取引が行なわれたかに応じ、及び／又はどの取引端末で取引を行なおうとしているかに応じて免除時間を異なるようにしてもよく、また、（免除時間の計時の原因となった）取引が行なわれた取引端末と取引を行なおうとしている取引端末との相互の関係（例えば相互間の距離）に応じて免除時間の長さを異ならせることとしても良い。
【図面の簡単な説明】
【００６９】
【図１】パチンコ店における、利用者カードによる取引に関与する機器を示したブロック図である。
【図２】中央管理装置の構成のブロック図である。
【図３】共用取引端末の構成の概略を示すブロック図である。
【図４】共用取引端末の構成の概略を示す外観図である。
【図５】専用取引端末の構成の概略を示すブロック図である。
【図６】専用取引端末の構成の概略を示す外観図である。
【図７】動作の各段階における、取引端末の表示内容を示す図である。
【図８】取引端末と中央管理装置とによる取引の手順を示すフローチャートである。
【図９】取引端末と中央管理装置とによる取引の手順を示すフローチャートである。
【符号の説明】
【００７０】
１：中央管理装置；　２：共用取引端末；　３：専用取引端末；　パチンコゲーム機；　１ａ：制御装置；　1ｂ：記憶装置；　２ａ，３ａ：制御部；　２ｂ，３ｂ：表示部；　２ｃ，３ｃ：キー入力部。
【図１】
2004110799.tif 000003
【図２】
2004110799.tif 000004
【図３】
2004110799.tif 000005
【図４】
2004110799.tif 000006
【図５】
2004110799.tif 000007
【図６】
2004110799.tif 000008
【図７】
2004110799.tif 000009
【図８】
2004110799.tif 000010
【図９】
2004110799.tif 000011